(57)【特許請求の範囲】
【請求項１】
外層袋の中に内層袋が挿入され、内容物の取り出し用の開口部近傍で前記外層袋の内面と前記内層袋の外面とが接合され、該内層袋を反転させて内容物を取り出すバッグインボックス用内袋において、前記内層袋の底部の幅が前記内層袋の開口部の幅よりも狭くなっていることを特徴とするバッグインボックス用内袋。
【請求項２】
外層袋の中に内層袋が挿入され、内容物の取り出し用の開口部近傍で前記外層袋の内面と前記内層袋の外面とが接合され、該内層袋を反転させて内容物を取り出すバッグインボックス用内袋において、外層袋に吸気孔を有し、しかも、前記内層袋の底部の幅が前記内層袋の開口部の幅よりも狭くなっていることを特徴とするバッグインボックス用内袋。
【請求項３】
請求項１または請求項２記載のバッグインボックス用内袋に、充填時には液状で取り出し時には固化する食品を充填し、取り出す際は、前記内層袋を反転させて固化した食品を取り出すことを特徴とする内容物の取り出し方法。
【請求項４】
前記食品が、マーガリン、ファットスプレッド、ショートニング、バター、フラワーペースト、チーズ、チョコレート用油脂、ラード、牛脂、パーム油、ヤシ油またはパーム核油であることを特徴とする請求項３記載の内容物の取り出し方法。
【発明の詳細な説明】
【０００１】
【発明の属する技術分野】
本発明は、内容物の取り出しが容易なバッグインボックス用内袋に関するものである。具体的には、袋を上下逆さにして内容物と共に内層袋を引き出して反転させるバッグインボックス用内袋に関するものである。又、上記バッグインボックスに食品を充填し、容易に取り出す方法に関するものである。
【０００２】
【従来の技術】
従来、味噌、あんこ、フラワーペースト等の粘稠な食品、或いは、バター、マーガリン、ショートニング等の充填時には液状であるが取り出し時には固化している食品等を容易に取り出すことができるバッグインボックス用内袋としては、外層袋の中に内層袋が挿入された２重袋で、重ね合わされた両開口部近傍で外層袋の内面と内層袋の外面とが接合された袋が知られている。例えば、実公昭３７−３０１９５号公報、特開昭６２−１２２９２２号公報、更には、特許２７３３１８３号等に開示されている。尚、これらの袋から内容物を取り出す際には、袋を上下逆さにして内容物を落下させると共に、内容物と密着している内層袋を引き出して外層袋の内面と内層袋の外面との接合部を支点として反転させる。
【０００３】
しかし、袋を上下逆さにして内容物を落下させると共に内層袋を引き出す際に、外層袋の底部と内層袋の底部との間に真空状態が生じ、内容物の落下に伴う内層袋の引き出しがスムーズに行われ難かった。即ち、内容物が落下し難くなり、内容物の取り出しが困難であった。又、袋を上下逆さにして内容物を落下させると共に内層袋を引き出す際に、内層袋の底部が内層袋の開口部を通り抜け難くかった。即ち、内容物が落下し難く、内容物の取り出しが困難であった。
【０００４】
【発明が解決しようとする課題】
本発明は、袋を上下逆さにして内容物の落下と共に内層袋を引き出して反転させることにより内容物を取り出すバッグインボックス用内袋において、内層袋を容易に反転させることのできるバッグインボックス用内袋を提供しようとするものである。又、バッグインボックス用内袋に充填された食品を容易に取り出す方法を提供しようとするものである。
【０００５】
【課題を解決するための手段】
本発明は、上記課題を解決するために、次のような手段を講じた。即ち、外層袋の中に内層袋が挿入され、内容物の取り出し用の開口部近傍で外層袋の内面と内層袋の外面とが接合され、内層袋を反転させて内容物を取り出すバッグインボックス用内袋において、内層袋の底部の幅が内層袋の開口部の幅よりも狭くする。（第１の発明）
更に、外層袋の中に内層袋が挿入され、内容物の取り出し用の開口部近傍で外層袋の内面と内層袋の外面とが接合され、内層袋を反転させて内容物を取り出すバッグインボックス用内袋において、外層袋に吸気孔を設け、しかも、内層袋の底部の幅を内層袋の開口部の幅よりも狭くする。（第２の発明）
更に、上記バッグインボックス用内袋に、充填時には液状で取り出し時には固化する食品を充填し、取り出す際は、内層袋を反転させて固化した食品を取り出す内容物の取り出し方法。（第３の発明）
好ましくは、食品が、マーガリン、ファットスプレッド、ショートニング、バター、フラワーペースト、チーズ、チョコレート用油脂、ラード、牛脂、パーム油、ヤシ油またはパーム核油である。（第４の発明）
【０００６】
【発明の実施態様】
本発明の内層袋の反転が容易なバッグインボックス用内袋に用いられるプラスチックフィルムとしては、従来、バッグインボックス用内袋に使用されているプラスチックフィルムを用いることができる。例えば、直鎖状低密度ポリエチレン樹脂等のポリエチレン系樹脂からなるフィルムが好適に用いられる。又、強度や安全性等の面から複数枚のフィルムを重ね合わせたものが好ましい。更に、ガス遮断性樹脂層等の特殊機能を有する樹脂層を設けた積層フィルム等も好適に使用される。
【０００７】
本発明のバッグインボックス用内袋に用いられる外層袋の形状としては、従来、バッグインボックス用内袋に使用されている形状のものを用いることができる。例えば、矩形の袋状体や角底シール部を有する袋状体等を使用することができる。
【０００８】
そして、第２の発明においては、外層袋に吸気孔が設けられている。外層袋に設けられる吸気孔の位置としては、特に限定されるものではないが、外層袋の底部近傍に設けられるのが好ましい。又、外層袋に設けられる吸気孔としては、勿論、フィルムに孔を開けたものでもよいが、加工性や機械的強度等を考慮すると、外層袋を形成しているシール部の一部に未シール部を設け、吸気孔としたものが好ましい。例えば、底シールや底部に近いサイドシール部に未シール部を設けたものが好適である。又、外層袋を形成する底シールやサイドシールが複数本設けられている場合には、勿論、未シール部が同じ位置に設けられていて吸気孔が貫通していてもよいが、未シール部を異なった場所に設け、吸気孔は貫通してはいないが連続していて吸気が可能であるものであってもよい。尚、吸気孔の大きさとしては、特に限定されるものではなく、袋の大きさやフィルムの材質、或いは、内容物等によって適宜決定されればよい。又、吸気孔の数についても、特に限定されるものではなく、１個であっても数個であってもよい。
【０００９】
【００１０】
第１の発明、及び、第２の発明においては、内層袋の底部の幅が開口部の幅よりも狭くなっていることが必要である。底部の幅が開口部の幅よりも狭くなっている割合としては、特に限定されるものではないが、一般的には２〜２０％狭くなっているのが好ましい。又、底部の幅が開口部の幅よりも狭くなる形状についても、特に限定されるものではなく、直線的に狭くなっても、或いは、曲線的に狭くなってもよい。又、狭くなる場所としては、開口部から連続的であっても、或いは、開口部と底部の間の適宜位置から連続的であってもよい。尚、本発明の趣旨から、当然内層袋の開口部と底部の間の幅は、内層袋の底部の幅と同じか、或いは、狭くなくてはならない。
【００１１】
そして、本発明のバッグインボックス用内袋は、外層袋の中に内層袋が挿入され、外層袋の開口部と内層袋の開口部が重ね合わされている。そして、外層袋と内層袋の開口部近傍で外層袋の内面と内層袋の外面とが接合されている。外層袋の内面と内層袋の外面との接合は、ヒートシールにより接合されるのが一般的である。外層袋の中に内層袋を挿入させるには、完成した外層袋と内層袋を用いることもできるが、袋を製袋する工程で、外層袋の中に内層袋が挿入された状態に製袋することもできる。しかも、開口部近傍の外層袋の内面と内層袋の外面の接合も、内層袋を外層袋の中に挿入させてから行うことできるが、袋を製袋する工程で、開口部近傍で外層袋の内面と内層袋の外面とが接合された状態にすることもできる。尚、外層袋と内層袋の開口部を重ね合わせるには、外層袋の開口部の内幅と内層袋の開口部の外幅とはほぼ同一であることが好ましが、内層袋の開口部の外幅が外層袋の開口部の内幅よりも狭くてもかまわない。
【００１２】
本発明のバッグインボックス用内袋は、内容物が充填された状態で、内層袋の開口部が密封されている。しかも、内層袋の開口部が密封されている位置は、外層袋の内面と内層袋の外面とが接合された位置よりも開口部の縁に近い位置である。
【００１３】
又、本発明のバッグインボックス用内袋は、内層袋の開口部がテープ状層間易剥離材を介在させて密封されていてもよい。即ち、内層袋の片方の内面にテープ状層間易剥離材の片方のヒートシール層を、内層袋のもう一方の内面にテープ状層間易剥離材のもう一方のヒートシール層を接着させて密封させる。一般には、テープ状層間易剥離材が内層袋を密封している位置と、外層袋の内面と内層袋の外面とが接合している位置とは同じ位置であるのが加工性の面から好ましい。
【００１４】
テープ状層間易剥離材としては、特開平６−２８６７５７号公報や特開平６−３２３５９号公報に記載されているテープ状層間易剥離材が使用される。即ち、熱融着可能なヒートシール層を両最外層とし、手で剥離可能な易剥離層を芯層とするテープ状層間易剥離材を使用する。尚、両最外層のヒートシール層と芯層の易剥離層との間には、耐熱性に優れた基材層等を設けたものが好ましい。又、芯層の易剥離層は、比較的接着強度の弱い樹脂からなる部分的な樹脂層と接着剤や粘着剤からなる層を積層させたものが用いられる。更に、開封時に両最外層等が把手となるように、両最外層等の一方の端を残して芯層の易剥離層を積層させているものが好ましい。
【００１５】
本発明のバッグインボックス用内袋は、スパウトを備えているものが好ましい。しかも、内容物の充填をスパウトより行い、内容物の取り出しは、密封部を切断したり開封したりして行うので、充填機能に優れたスパウトを選択するのが好ましい。例えば、バッグインボックス用内袋の大きさや内容物の粘度等によりスパウトの大きさや形状等を適宜決定すればよい。尚、バッグインボックス用内袋が内容物充填用のスパウトを備えていると、内容物を充填させる開口部分を残しておく必要がなく、予め袋を密封シールさせておくことができる。
【００１６】
本発明の内層袋の反転が容易なバッグインボックス用内袋から、内容物を取り出す方法について説明する。まず、バッグインボックス用内袋の開口部に施された密封部を切断、或いは、テープ状層間易剥離材を剥離させて開封する。尚、密封部を切断する際に、外層袋の内面と内層袋の外面が接合した部分を切り離されないようにする必要がある。次に、バッグインボックス用内袋を上下逆さにし、内容物を自重により内層袋と共に落下させる。その際、外層袋に吸気孔が設けられていると、該吸気孔より外層袋と内層袋の間に外気が侵入し、内層袋の引き出しが容易である。又、内層袋の底部の幅が開口部の幅よりも狭くなっていると、内層袋の底部が内層袋の開口部を通り抜け易く、内層袋の引き出しが容易である。そして、引き出された内層袋は、外層袋の内面と内層袋の外面との接合部を支点にして反転させる。そして、内容物を内層袋の内面から剥離させて取り出す。特に、内容物が、食品、特にマーガリン、ファットスプレッド、ショートニング、フラワーペースト、チーズ、チョコレート用油脂、ラード、牛脂、パーム油、ヤシ油またはパーム核油の場合に好適に使用される。そして、内容物が固形物である場合には、内容物を一つの塊として取り出すことができる。
【００１７】
以下図面を用いて、本発明の内層袋の反転が容易なバッグインボックス用内袋の一例を説明する。図２は、第１発明の内層袋の反転が容易なバッグインボックス用内袋の概略平面図である。更に、図３は、第２発明の内層袋の反転が容易なバッグンボックス用内袋の概略平面図である。図４は、内容物を取り出す状態を示した説明図である。
【００１８】
外層袋（１）の中に内層袋（２）が挿入され、しかも、外層袋の開口部と内層袋の開口部が重ね合わされている。尚、図３の第２の発明では、外層袋の底部近傍のサイドシール部に未シール部による吸気孔（３）が設けられている。更に、図２と図３の第１と第２の発明では、内層袋の底部の幅が、開口部の幅よりも狭くなっている。そして、内層袋の開口部は密封（４）されていると共に、内層袋の密封部よりも袋の中央よりに、外層袋の内面と内層袋の外面が接合（５）されている。尚、図に示されたバッグインボックス用内袋にはスパウト（６）が設けられている。
【００１９】
【実施例】
以下、実施例を示し、本発明の内容をより具体的に説明する。
【００２０】
【００２１】
（第１の発明、及び、第４の発明）厚さが１００μｍの直鎖状低密度ポリエチレン樹脂フィルムからなる矩形の外層袋（６２０×８２０ｍｍ）（開口部の内幅；５９０ｍｍ）に、厚さが８０μｍの直鎖状低密度ポリエチレン樹脂フィルムを用い、逆台形の内層袋（開口部の幅；５５０ｍｍ、底部の幅；５００ｍｍ、縦方向（高さ）；６９５ｍｍ）を挿入し、両開口部を重ね合わせた。そして、開口部近傍にスパウトを熱融着により取り付けると共に、内層袋の開口部を幅５ｍｍのヒートシールにて密封させ、更に、該密封部より袋の中央よりに、外層袋の内面と内層袋の外面とにの接合部を袋全周に設けた。尚、該接合部は、ヒートシールよって行い、該接合部の幅は、約５ｍｍあった。
【００２２】
得られたバッグインボックス用内袋に、流動状のマーガリン１５ｋｇをスパウトより充填し、２日間放置した。バッグインボックス用内袋に充填されたマーガリンの取り出しは、まず、外層袋の内面と内層袋の外面との接合部を残し、内層袋の開口部に施されているヒートシールによる密封部を切り離して開封した。そして、バッグインボックス用内袋を上下逆さにし、固形化したマーガリンと共に内層袋を引き出し、内層袋を反転させた。その際、内層袋の底部も容易に内層袋の開口部を通過し、内層袋の取り出し、及び、反転が容易であった。更に、反転された内層袋の内面から固形化したマーガリンを剥離して取り出した。尚、内層袋が引き出されて反転される支点は、スパウト部分が設けられている部分を除いて、外層袋の内面と内層袋の外面とがヒートシールにより接合されている部分であった。
【００２３】
【作用・効果】
バッグインボックス用内袋が、内層袋の底部の幅が開口部の幅よりも狭くなっていると、内層袋を内容物と共に引き出して反転させる際に、内層袋の底部が容易に内層袋の開口部を通過するので、内層袋の引き出しがスムーズに行え、内層袋の反転が容易に行える。そのため、本発明の内層袋の反転が容易なバッグインボックス用内袋に充填された食品は、内層袋を容易に引き出して反転させることができるので、簡単に取り出すことができる。
【図面の簡単な説明】
【図１】参考図
【図２】第１発明の内層袋の反転が容易なバッグインボックス用内袋の概略平面図である。
【図３】第２発明の内層袋の反転が容易なバッグインボックス用内袋の概略平面図である。
【図４】バッグインボックスより内容物を取り出す状態を示した説明図である。
【符号の説明】
１；外層袋
２；内層袋
３；吸気孔
４；密封
５；結合
６；スパウト
【図１】
0004836342.tif 000002
【図２】
0004836342.tif 000003
【図３】
0004836342.tif 000004
【図４】
0004836342.tif 000005